(57)【要約】【課題】利用者が録画予約の設定を行わない場合であっても、嗜好に合致した番組の録画予約を自動的に行う番組予約システムを実現することにある。【解決手段】サーバ１２より録画予約を設定する複数の制御端末１１、１１ａ、・・・、１１ｎに対して電子番組表を電子番組表送信手段１２２により送信し、それぞれの制御端末から送信される録画予約情報を相対応する録画機器１３に転送すると共に、録画予約情報蓄積手段１２３により録画予約情報と端末名とを整理して蓄積する一方、嗜好グループ選定手段１２６により複数の同一予約情報を送信した制御端末同士を嗜好グループとして選定し、嗜好グループの複数の制御端末により作成された予約情報を、予約情報を作成してない残りの制御端末に係る録画装置に対して送信するようにして自動録画予約を行う番組予約システムを実現した。【選択図】    図１
2004297685.tif 000002
【特許請求の範囲】
【請求項１】
通信ネットワークに接続されるサーバを介して、前記通信ネットワークに接続される制御端末からのそれぞれから放送番組を録画予約及び／又は放送番組を視聴予約するそれぞれの装置に対して放送番組を録画予約するための番組予約システムに用いられる番組予約の設定方法であって、
前記サーバから複数の前記制御端末に対して電子番組表を配信する第１のステップと、
前記制御端末から前記サーバに対し、前記電子番組表に記述される番組情報のそれぞれに対応する番組録画指定情報を伝送する第２のステップと、
前記制御端末から伝送された番組録画指定情報を受信すると共に、前記サーバは、前記番組指定情報とその情報を伝送した制御端末の端末名とを対応させて記憶する第３のステップと、
前記電子番組表が配信された全ての前記制御端末は番組録画予約の際に前記第２〜第３のステップを繰り返し、
前記サーバは、各番組録画指定情報にそれぞれ対応した複数の前記制御端末の関係から、予約関係にある要素にマークを付して予約情報行列を作成する第４のステップと、
前記予約情報行列作成後に、前記サーバは同一の放送番組に付される前記マークが複数個所一致する制御端末同士を嗜好グループとして選定する第５のステップと、
前記嗜好グループに属する制御端末により指定される番組のうち、所定数以上の制御端末が指定した共通番組があるときに、前記サーバは前記共通番組を指定していない残りの制御端末に係る前記装置に対し、前記共通番組を予約するための予約設定情報を伝送する第６のステップと、
を有することを特徴とする番組予約の設定方法。
【請求項２】
通信ネットワークに接続されるサーバを介して、前記通信ネットワークに接続される制御端末からのそれぞれから放送番組を録画予約及び／又は放送番組を視聴予約するそれぞれの装置に対して放送番組を録画予約するための番組予約システムに用いられる番組予約の設定方法であって、
前記サーバから複数の前記制御端末に対して電子番組表を配信する第１のステップと、
前記制御端末から前記サーバに対し、前記電子番組表に記述される番組情報のそれぞれに対応する番組録画指定情報を伝送する第２のステップと、
前記制御端末から伝送された番組録画指定情報を受信すると共に、前記サーバは、前記番組指定情報とその情報を伝送した制御端末の端末名とを対応させて記憶する第３のステップと、
前記電子番組表が配信された全ての前記制御端末は番組録画予約の際に前記第２〜第３のステップを繰り返し、
前記サーバは、各番組録画指定情報にそれぞれ対応した複数の前記制御端末の関係から、予約関係にある要素にマークを付して予約情報行列を作成する第４のステップと、
前記予約情報行列作成後に、前記サーバは同一の放送番組に付される前記マークが複数個所一致する制御端末同士を嗜好グループとして選定する第５のステップと、
前記嗜好グループに属する制御端末により指定される番組のうち、所定数以上の制御端末が指定した共通番組があるときに、前記サーバは前記共通番組を指定していない残りの制御端末に前記共通番組に係り記述した通知メールを伝送する第６のステップと、
前記通知メールを引用した返信メールを受信した前記サーバは、前記返信メールを伝送した制御端末に係る前記装置に対し、前記共通番組を予約するための予約設定情報を伝送する第７のステップと、
を有することを特徴とする番組予約の設定方法。
【請求項３】
通信ネットワークに接続されるサーバ装置を介して、前記通信ネットワークに接続される制御端末からのそれぞれから放送番組を録画予約及び／又は放送番組を視聴予約するそれぞれの装置に対して放送番組を録画予約するための番組予約システムに用いられる前記サーバ装置であって、
複数の前記制御端末に対して電子番組表を配信する電子番組表伝送手段と、
前記制御端末から伝送される前記電子番組表に記述される番組情報のそれぞれに対応する番組録画指定情報を受信する指定情報受信手段と、
前記番組指定情報とその情報を伝送した制御端末の端末名とを対応させて記憶する指定情報記憶手段と、
各番組録画指定情報にそれぞれ対応した複数の前記制御端末の関係から、予約関係にある要素にマークを付して予約情報行列を作成する行列作成手段と、
前記予約情報行列のうち、同一の放送番組に付される前記マークが複数個所一致する制御端末同士を嗜好グループとして選定する嗜好グループ選定手段と、
前記嗜好グループに属する制御端末により指定される情報のうち、所定数以上の制御端末が指定した共通番組があるときに、前記共通番組を指定していない残りの制御端末に係る前記装置に対し、前記共通番組を予約するための予約設定情報を伝送する予約情報伝送手段と、
を具備して構成することを特徴とするサーバ装置。
【発明の詳細な説明】
【０００１】
【発明の属する技術分野】
本発明は、放送番組やインターネット放送番組の録画又は視聴に係る番組予約システムに係り、特に利用者の好みの番組を自動的に録画又は視聴する番組予約の設定方法及びサーバ装置に関するものである。
【０００２】
【従来の技術】
従来より、携帯電話やインターネットの普及と共に、宅外の携帯電話やパソコンなどから宅内の録画機器を制御し、遠隔地から録画予約可能なシステムが開発されている（例えば、特許文献１、及び２参照。）。
【０００３】
それらの録画予約システムに加え、利用者の好む番組情報を自動的に通知する、及び自動的に予約を設定して録画する技術もある。そして、その自動録画予約システムによれば、利用者が所望の録画番組の条件を逐一入力しなくても、利用者の過去の番組視聴に基づいて利用者の嗜好を学習し、それに合致する番組の情報を利用者の携帯電話等に電子メールで通知するなどにより行なわれている（例えば、特許文献３参照。）。
【０００４】
【特許文献１】
特開２００１−２３８１５７号公報
【特許文献２】
特開２００１−３０９２８５号公報
【特許文献３】
特開２００２−１２５２７７号公報
【０００５】
【発明が解決しようとする課題】
ところで、上記の利用者の嗜好情報を基にした録画予約候補番組の通知の場合では、利用者により操作、入力される番組のタイトル名、出演者、番組カテゴリ名などの番組属性情報が用いられて利用者の嗜好情報が学習される。そして、その嗜好情報に基づいて得られた録画番組の候補が利用者の嗜好に合致しているかを、電子メールにより尋ねる必要がある。
【０００６】
また、その学習による嗜好情報の抽出を精度良く行うためには、例えば番組属性情報などの番組検索に用いられるキーワード及びその属性分類などが充実している必要がある。
【０００７】
しかしながら、十分な情報量の番組属性情報を体系的に作成するためには、現在用いられて番組表そのものの記述を体系化しなければならない。即ち、現在用いられているいわゆる番組表は、利用者が目視したときに番組の内容が理解され易いように作成されているため、十分な情報量の番組属性情報を有していない場合が大半である。
【０００８】
例えば、現在一般的に利用されている電子番組表の場合では、出演者名が限られている、番組カテゴリ名が大雑把であるなどにより、その電子番組表を基にした精度の高い利用者の嗜好情報の収集学習がなされない。
【０００９】
さらに、上記の特許文献３による場合では、１台の録画機器に蓄積された視聴履歴に基づいて利用者が好む番組を判定するようにしているので、録画予約対象として選択される番組のカテゴリが狭い範囲に限定される傾向がある。例えば「こんな番組もあるのか」と言ったような意外性を利用者に与える録画予約候補の抽出は困難であった。
【００１０】
そこで本発明は、利用者が明示的に所望の番組条件を入力する必要がなく、番組属性情報が限られている場合であっても利用者の嗜好に合致した番組情報を利用者側に提供する、及びその番組情報を基に録画予約を利用者が設定操作を行わない場合であっても自動的に設定する番組予約の設定方法及びサーバ装置を実現することを目的とする。さらに、利用者が従来録画していた番組と異なるカテゴリの番組に対しても録画予約を設定するようにし、利用者が潜在的に嗜好すると考えられるカテゴリの番組に対しても番組情報の提示、又は録画予約の設定を行う番組予約システムの構成を提供することを目的とする。
【００１１】
【課題を解決するための手段】
本発明は、上記課題を解決するために以下の１）〜３）の手段より成るものである。
すなわち、
【００１２】
１）  通信ネットワークに接続されるサーバを介して、前記通信ネットワークに接続される制御端末からのそれぞれから放送番組を録画予約及び／又は放送番組を視聴予約するそれぞれの装置に対して放送番組を録画予約するための番組予約システムに用いられる番組予約の設定方法であって、
前記サーバから複数の前記制御端末に対して電子番組表を配信する第１のステップ（１２２、１２５）と、
前記制御端末から前記サーバに対し、前記電子番組表に記述される番組情報のそれぞれに対応する番組録画指定情報を伝送する第２のステップと、
前記制御端末から伝送された番組録画指定情報を受信すると共に、前記サーバは、前記番組指定情報とその情報を伝送した制御端末の端末名とを対応させて記憶する第３のステップ（１２３）と、
前記電子番組表が配信された全ての前記制御端末は番組録画予約の際に前記第２〜第３のステップを繰り返し、
前記サーバは、各番組録画指定情報にそれぞれ対応した複数の前記制御端末の関係から、予約関係にある要素にマークを付して予約情報行列を作成する第４のステップ（１２３）と、
前記予約情報行列作成後に、前記サーバは同一の放送番組に付される前記マークが複数個所一致する制御端末同士を嗜好グループとして選定する第５のステップ（１２６）と、
前記嗜好グループに属する制御端末により指定される番組のうち、所定数以上の制御端末が指定した共通番組があるときに、前記サーバは前記共通番組を指定していない残りの制御端末に係る前記装置に対し、前記共通番組を予約するための予約設定情報を伝送する第６のステップ（１２４、１２５）と、
を有することを特徴とする番組予約の設定方法。
２）  通信ネットワークに接続されるサーバを介して、前記通信ネットワークに接続される制御端末からのそれぞれから放送番組を録画予約及び／又は放送番組を視聴予約するそれぞれの装置に対して放送番組を録画予約するための番組予約システムに用いられる番組予約の設定方法であって、
前記サーバから複数の前記制御端末に対して電子番組表を配信する第１のステップ（１２２、１２５）と、
前記制御端末から前記サーバに対し、前記電子番組表に記述される番組情報のそれぞれに対応する番組録画指定情報を伝送する第２のステップと、
前記制御端末から伝送された番組録画指定情報を受信すると共に、前記サーバは、前記番組指定情報とその情報を伝送した制御端末の端末名とを対応させて記憶する第３のステップ（１２３）と、
前記電子番組表が配信された全ての前記制御端末は番組録画予約の際に前記第２〜第３のステップを繰り返し、
前記サーバは、各番組録画指定情報にそれぞれ対応した複数の前記制御端末の関係から、予約関係にある要素にマークを付して予約情報行列を作成する第４のステップ（１２３）と、
前記予約情報行列作成後に、前記サーバは同一の放送番組に付される前記マークが複数個所一致する制御端末同士を嗜好グループとして選定する第５のステップ（１２６）と、
前記嗜好グループに属する制御端末により指定される番組のうち、所定数以上の制御端末が指定した共通番組があるときに、前記サーバは前記共通番組を指定していない残りの制御端末に前記共通番組に係り記述した通知メールを伝送する第６のステップ（１２４、１２５）と、
前記通知メールを引用した返信メールを受信した前記サーバは、前記返信メールを伝送した制御端末に係る前記装置に対し、前記共通番組を予約するための予約設定情報を伝送する第７のステップ（１２６、１２５）と、
を有することを特徴とする番組予約の設定方法。
３）  通信ネットワークに接続されるサーバ装置を介して、前記通信ネットワークに接続される制御端末からのそれぞれから放送番組を録画予約及び／又は放送番組を視聴予約するそれぞれの装置に対して放送番組を録画予約するための番組予約システムに用いられる前記サーバ装置であって、
複数の前記制御端末に対して電子番組表を配信する電子番組表伝送手段（１２２、１２５）と、
前記制御端末から伝送される前記電子番組表に記述される番組情報のそれぞれに対応する番組録画指定情報を受信する指定情報受信手段（１２５）と、
前記番組指定情報とその情報を伝送した制御端末の端末名とを対応させて記憶する指定情報記憶手段（１２３）と、
各番組録画指定情報にそれぞれ対応した複数の前記制御端末の関係から、予約関係にある要素にマークを付して予約情報行列を作成する行列作成手段（１２３）と、
前記予約情報行列のうち、同一の放送番組に付される前記マークが複数個所一致する制御端末同士を嗜好グループとして選定する嗜好グループ選定手段（１２６）と、
前記嗜好グループに属する制御端末により指定される情報のうち、所定数以上の制御端末が指定した共通番組があるときに、前記共通番組を指定していない残りの制御端末に係る前記装置に対し、前記共通番組を予約するための予約設定情報を伝送する予約情報伝送手段（１２４、１２５）と、
を具備して構成することを特徴とするサーバ装置。
【００１３】
【発明の実施の形態】
以下、本発明の番組予約の設定方法及びサーバ装置の実施の形態につき、好ましい実施例により説明する。
図１に、その実施例に関わる番組予約システムの概略構成図を示し、同図を参照して説明する。
【００１４】
同図に示す番組予約システム１は、複数の制御端末１１、１１ａ、・・・、１１ｎ（ｎは２以上の整数）、サーバ１２、複数の録画機器１３、１３ａ、・・・、１３ｎ、及びネットワーク網１４より構成される。そして、ネットワーク１４には制御端末１１と無線通信を行うための無線局１４１が配置されている。
【００１５】
まず、サーバ１２は電子番組表をインターネットなどのネットワーク１４及び無線局１４１を介して携帯電話やパソコン等の複数の制御端末１１、１１ａ、・・・、１１ｎに対して伝送する。それらの制御端末１１、１１ａ、・・・、１１ｎのそれぞれの利用者は伝送された電子番組表を基に操作し、録画予約を行う番組を選択してサーバ１２に伝送する。
【００１６】
サーバ１２は、受信された録画予約情報を後述の予約情報格納手段に格納すると共に、受信された録画予約情報から録画動作指示情報を生成し録画機器１３、１３ａ、・・・、１３ｎのうちのそれぞれの制御端末と相対応関係にある録画機器に対して伝送する。その録画機器は受信した録画動作指示情報に従って録画予約の設定を行い、予約された時刻が到来するときに受信される放送番組の録画を行なう。
【００１７】
ここで、録画機器１３により録画される番組は、地上放送、衛星放送、通信衛星放送、ＣＡＴＶ放送などの放送の他にネットワーク１４上に放送されるいわゆるインターネット放送をも含む番組である。それらの多くの放送メディアによりなされる放送は、それぞれに対応する受信機を所有している利用者により受信されて録画される。
【００１８】
そして、サーバ１２は複数の利用者毎になされる番組予約の設定情報をデータベースとして蓄積し、その蓄積されたデータベースを用いて利用者毎に解析された嗜好情報を基に利用者に対する嗜好情報の分析を行い、嗜好する番組を提示すると共に、利用者が潜在的に保有する番組嗜好情報をも利用者に提示し、それらの提示された番組の録画予約を行うか否か利用者に問い合わせる。又は、利用者の所有する録画装置に対して番組嗜好情報を基にした録画予約の設定を行うようにする。
【００１９】
即ち、サーバ１２は、利用者ごとに録画予約される番組を調査し、同一の番組を録画する傾向にある利用者同士を同一嗜好グループとして選定する。その選定された同一嗜好グループの利用者が有する制御端末のうち、所定数以上の制御端末が予約を行った共通番組があるときには、同一嗜好グループの制御端末のうちその共通番組を予約していない制御端末に相対応する録画装置に対し、サーバ装置は共通番組の予約を設定するようにするものである。
【００２０】
以上、番組予約システムの実施の形態につき概説した。次に本番組予約システムに用いられるサーバ及び録画機器の構成と動作について述べる。
図２に、サーバの構成を示し、同図を参照してその動作について説明する。
【００２１】
同図に示すサーバ１２は、認証手段１２１、番組情報格納手段１２２、前述の予約情報格納手段１２３、番組選択手段１２４、送受信手段１２５、及び制御手段１２６より構成される。
【００２２】
まず、録画機器１３の利用者は本番組予約システム１を用いる録画予約サービスを受けるべく、サーバ１２を管理するサービスプロバイダと契約し、認証用パスワードを設定する。次に利用者は制御端末１１を用いてサーバ１２に接続を要求する。
【００２３】
その接続要求はネットワークに接続される送受信手段１２５により受信され、その受信された接続要求は認証手段１２１に供給される。その認証手段１２１では、契約時点に確認されている制御端末１１及び録画機器１３の各々の利用者ＩＤとパスワードが認証される。その認証の結果、正規の接続であるとされるときには、要求に応じて後述の方法により番組情報格納手段１２２に格納される番組情報を送受信手段１２５を介して制御端末１１に伝送する。
【００２４】
そして、制御端末１１は利用者により操作され、入力された利用者の嗜好に係る予約情報が選択されて、サーバ１２に伝送される。次に、サーバ１２により受信された予約情報は予約情報格納手段１２３に格納される。そして、番組選択手段１２４により、予約情報が解析されて予約解析情報が得られると共に、その得られた予約解析情報が基にされて、番組情報格納手段１２２に格納される番組情報から利用者の嗜好に合致する録画予約番組が選択される。
【００２５】
制御手段１２６では、選択された録画予約番組の録画予約に係る録画動作指示情報が作成され、その作成された録画動作指示情報は録画機器がサーバに接続された時点で、その録画機器に伝送される。
以上、サーバ１２の構成とその動作について述べた。
【００２６】
次に、録画機器の構成と動作について述べる。
図３に、録画機器の構成を示し、同図を参照しその動作について述べる。
【００２７】
同図に示す録画機器１３は、番組受信手段１３１、計時手段１３２、予約情報保持手段１３３、番組記録手段１３４、ＩＤ格納手段１３５、送受信手段１３６、及び制御手段１３７より構成される。
【００２８】
まず、サーバ１２による認証の結果、正規の録画装置であるとされたときには録画動作指示情報が録画機器１３に対して伝送される。その録画動作指示情報は送受信手段１３６により受信され、予約情報保持手段１３３に供給され、そこに一時記憶される。
【００２９】
そして、録画機器１３の動作を制御する制御手段１３７は、録画動作指示情報を保持する予約情報保持手段１３３に一時記憶される録画予約メールに記述されている録画開始時刻と、計時手段１３２により計測される日時とを比較し、録画開始時刻が近づいたときに、ネットワーク上の番組を含む放送番組を受信する番組受信手段１３１に対してその録画番組の受信を命令する。
【００３０】
次に、録画開始時刻より、番組受信手段１３１により受信される番組は番組データを記録する番組記録手段１３４により記録されるようにして、サーバ１２により作成された録画予約メールに対する録画がなされる。
【００３１】
以上、サーバ１２及び録画機器１３の構成とその動作について述べた。そして、それらの構成が有する機能は、いわゆるコンピュータを用いて実現可能である。そのときのコンピュータは、それぞれの構成が有する機能を１台のコンピュータを時分割動作させて実現しても良く、更には複数のコンピュータを用いて分散処理により実現させる方法によっても良い。
【００３２】
次に、上述の番組予約システムの動作について詳述する。
録画予約サービスを利用するに先立ち、利用者は制御端末１１に認証時等に必要な情報を入力する。これらの情報は制御端末１１からサーバ１２に伝送され、サーバ１２に登録される。
図４に、認証時等に必要とされる情報の提供を要求する制御端末１１の画面の表示例を示す。
同図に示される情報要求に対し、利用者は制御端末を操作して文字データ等の入力を行う。
【００３３】
入力する項目は利用者ＩＤ、利用者パスワード、利用者の利用する録画機器の録画機器ＩＤ、録画機器パスワード、及び利用者の電子メールアドレス（以降、単にメールアドレスと記述することもある。）などの他に、選択された録画番組に対する録画予約メールを録画機器１３に伝送して録画予約を設定する自動録画モードとするか、又は録画予約メールを制御端末１１に伝送する通知動作モードとするかを選択するための情報である。
【００３４】
それらの制御端末により入力された情報はサーバ１２に伝送され、制御端末の認証時等に用いられると共に、録画予約の設定を行う録画機器の特定に用いられる。そして、利用者の電子メールアドレスは、通知モードを指定した時に必要であり、自動録画モードでは指定しなくても良い。なお、動作モードは後から変更することも可能なようになされている。
【００３５】
それらの記述された情報は送信ボタンを押すことによりサーバ１２に伝送されてそこで受信され、それらの受信された情報は認証手段１２１に供給、格納される。
図５に、そこに格納される認証情報等の一覧形式による記述例を示す。
【００３６】
同図において、横方向には予め登録されている利用者ＩＤ、利用者パスワード、録画機器ＩＤ、及び録画機器パスワードと、今回の動作に係る動作モード及びメールアドレスの記述項目が示されている。また、縦方向には、利用者１、利用者２、・・・、利用者ｐの、それぞれの利用者の情報が記述されるようにして認証情報が格納される。
【００３７】
次に、上記の録画予約の動作について更に述べる。
録画予約の動作を図６のフローチャートにより示し、順に説明する。
まず、利用者により図示しない制御端末１１の認証用画面に対して利用者ＩＤ及び利用者パスワードなどが入力され、その入力された情報はサーバ１２に送信される（ステップＳ１１）。
【００３８】
サーバ１２は送受信手段１２５を介してデータを受信し、認証手段１２１において受信した利用者ＩＤと利用者パスワードのそれぞれが格納されているデータと一致するか否かを判定し、利用者の認証を行う（ステップＳ１２）。受信した利用者ＩＤ、及び利用者パスワードに一致するデータが認証手段１２１に格納されていなければ、正当でないと判定し、再度パスワード等の入力を促すメッセージを制御端末１１に伝送し、表示させる（ステップＳ１３）。
【００３９】
利用者認証が完了した後、サーバ１２は送受信手段１２５を介して後記の番組表情報を制御端末１１に送信する（ステップＳ１４）。利用者は受信された番組表情報の中から録画を希望する番組を選択する。その選択された番組に係る情報はサーバ１２に伝送される（ステップＳ１５）。
【００４０】
番組ＩＤを受信したサーバ１２は、利用者ＩＤと番組ＩＤを対応させて予約情報格納手段１２３に格納し（ステップＳ１６）、録画予約の動作を終了する。
ここで、上記の番組表情報について図と共に説明する。
図７に、番組のタイトル及び出演者等の番組説明情報をテーブル形式で記述した番組表情報の記述例を示す。
【００４１】
同図において、横方向には番組を識別する番組ＩＤ、チャネル情報、番組の開始日時、番組の終了日時、番組のタイトル、及び出演者等の番組説明情報の順に、また縦方向にはそれらの情報を番組ＩＤ毎に、テーブル形式で記述されてサーバ１２の番組情報格納手段１２２に格納されている様子を示している。
【００４２】
ここで、チャネル情報は、番組へのアクセス方法を示す情報で、放送番組の場合にはチャネル番号、インターネット放送などのネットワーク番組の場合にはＵＲＬ（Ｕｎｉｆｏｒｍ  Ｒｅｓｏｕｒｃｅ  Ｌｏｃａｔｏｒ）である。そして、サーバ１２はそれらの情報を読み出して番組表情報として生成し、送受信手段１２５を介して制御端末１１に送信する。
【００４３】
図８に、制御端末に表示される番組表の例を示す。
同図において、横方向には放送チャンネルが、縦方向には時刻が示されている。利用者は録画予約を希望する番組の「予約ボタン」を押すことにより、その番組を特定するための情報である例えば番組ＩＤがサーバ１２に送信される。
【００４４】
その番組ＩＤの受信されたサーバ１２では、その番組ＩＤと利用者ＩＤとを表形式により予約情報格納手段１２３に格納する。
図９に、予約情報格納手段に格納される番組ＩＤと利用者ＩＤのデータ形式を示す。
【００４５】
同図において関連付けされるテーブル形式により、利用者に対する録画番組の通知、又は録画機器の録画予約設定の実行を管理する。ここで、テーブルの右側に示す「送信フラグ」は録画機器１３に予約情報を送信したか否かを示すフラグであり、「１」が送信済み、「０」が未送信の状態である。
【００４６】
以上、録画予約の動作についてフローチャートを基に説明した。
次に、予約情報取得動作について説明する。
図１０に、録画機器により行われる録画予約情報の取得動作をフローチャートにより示し、同図を参照して説明する。
【００４７】
まず録画機器１３は、所定の時刻に、あるいは所定の時間間隔により、ＩＤ格納手段１３５から録画機器ＩＤと録画機器パスワードを読出し、送受信手段１３６を介してサーバ１２に送信する（ステップＳ２１）。
【００４８】
サーバの認証手段１２１では、受信した録画機器ＩＤと録画機器パスワードがサーバ認証手段１２１に格納されているものと一致するか否かを判定し（ステップＳ２２）、もし一致しなければ接続を切断する（ステップＳ２３）。
【００４９】
そして、録画機器の認証が成功したときには、該当する録画機器ＩＤに対応する利用者ＩＤを認証手段１２１から読み出す。次に、予約情報格納手段１２３の中に該当する利用者ＩＤを有し、かつ未送信（送信フラグ「０」）である番組ＩＤがあるかを探す。
【００５０】
未送信の番組ＩＤがあるときには、その番組ＩＤに係るチャネル情報、番組開始日時、番組終了日時等の番組情報を番組情報格納手段１２２から読出し、録画動作指示情報として送受信手段１２５を介して録画機器１３に送信する（ステップＳ２４）。そして、送信した予約情報の送信フラグを「１」にセットする（ステップＳ２５）。
【００５１】
上記の番組予約情報を受信した録画機器１３は、番組開始日時、番組終了日時、及びチャネル情報等を予約情報保持手段１３３に記録する（ステップＳ２６）。次に、制御手段１３７は、計時手段１３２から得られる現在時刻情報を基にして番組受信動作を開始し、番組データを番組記録手段１３４に記録し、及び番組終了日時に記録動作を終了する（ステップＳ２７）。そして、記録の終了した予約情報を予約情報保持手段１３３から消去する（ステップＳ２８）。
【００５２】
以上、録画機器により行われる録画予約情報の取得動作について述べた。
次に、サーバが利用者の嗜好に合った番組を解析して選択する動作について詳述する。
【００５３】
図１１に、サーバにより実行される、利用者の嗜好する番組の解析動作をフローチャートにより示し、図１２〜図１６も参照しながらその動作について詳述する。
まず、サーバ１２は予約情報格納手段１２３のデータを読出し、予約利用者リスト及び予約番組リストを作成する（ステップＳ３１）。
【００５４】
図１２に、予約利用者リストの記述例を示す。
同図に示す予約利用者リストは、過去に予約を行った利用者に対し、その利用者ＩＤと１から始まる利用者番号を対応させてリスト表示したものである。そして、ここでは過去に一定回数以上予約を行った利用者のみを対象として予約利用者リストを作成しており、予約利用者リストにはＮ人の利用者が存在するものとしている。
【００５５】
図１３に、予約番組リストの記述例を示す。
同図に示す予約番組リストは、過去に予約されたことのある番組について、番組ＩＤと１から始まる番組番号を対応させて記述したものである。ここでは、予約番組リストにはＭ個の番組が存在するものとしている。
【００５６】
次に、予約情報行列Ａを作成する（ステップＳ３２）。この行列は、利用者を行、番組を列に対応させ、利用者ｉ（ｉ＝１〜Ｎ）が番組ｊ（ｊ＝１〜Ｍ）を予約している場合は行列要素ａｉｊを「１」に、予約していない場合は行列要素ａｉｊを「０」とする行列である。なお、利用者を列、番組を行に対応させて予約行列を作成しても良い。そして、Ｎ人の利用者に対して番組を各々選択する処理を行うが、以下の説明では、番組を選択する対象者をｘ（ｘ＝１〜Ｎ）とする。
【００５７】
次に、番組選択の対象者を示す制御変数ｘを１にセットする（ステップＳ３３）。次に予約情報行列Ａを使って、番組選択の対象者ｘと予約パターンの似ている利用者の集合である類似利用者集合φを計算する（ステップＳ３４）。その集合φの計算方法としては複数の方法を用いることができる。
【００５８】
図１４に、以下の説明に使用する数式を列挙する。
第１の計算方法は、利用者ｘと他の全ての利用者ｙ（ｙ＝１〜Ｎ、ｙ≠ｘ）の間の類似度Ｓｘｙを式（１）を用いて計算し、Ｓｘｙの大きな順に所定の数だけ利用者を選ぶ方法である。
【００５９】
第２の計算方法は、予約情報行列Ａに数量化３類などの多変量解析手法を適用する方法である。その数量化３類については、例えば「数量化理論と方法」（林知己夫著、朝倉書店）に詳細に記述されている。この計算方法を用い、各利用者に対するサンプルスコアｂｉｋ（ｉ＝１〜Ｎ、ｋ＝１〜Ｋ）と、Ｋ個の固有値λｋ（ｋ＝１〜Ｋ）が得られる。ここでＫはＫ＜ｍｉｎ（Ｎ，  Ｍ）を満たす定数である。そして、利用者ｘと他の全ての利用者ｙ（ｙ＝１〜Ｎ、ｙ≠ｘ）との間の距離Ｄｘｙを式（２）により計算し、Ｄｘｙの小さな順に所定の数だけ利用者を選び、集合φとする。
【００６０】
次に、類似利用者の集合φに属する利用者が予約している番組を集計し、予約ランキングを作成する（ステップＳ３５）。これは、番組ｊの予約合計Ｒｊ（ｊ＝１〜Ｍ）を式（３）に従って計算し、Ｍ種類の番組の中からＲｊの大きな順に所定の数だけ番組を選択することにより求める。
【００６１】
図１５に、予約ランキングのデータ形式を示す。
そして、求められた予約ランキングをもとに対象者ｘに適する番組を選択する（ステップＳ３６）。その選択方法の詳細については後記する。
【００６２】
次に、対象者を表す制御変数ｘの値を１増やす（ステップＳ３７）。そしてｘが予約利用リストの総数Ｎ以下であるかを判定し（ステップＳ３８）、Ｎ以下であればステップＳ３４以下の処理を繰り返す。ｘがＮを超えたときに番組選択処理を終了する。
【００６３】
次に、前記ステップＳ３６の予約ランキング処理について説明する。
図１６に、予約ランキングを求める処理のフローチャートを示し、図１７〜図２０を参照しつつ詳述する。
【００６４】
まず、予約ランキングの順位番号を指し示す制御変数ｐを１にセットする（ステップＳ４１）。予約ランキングにはＬ個の番組が登録されているものとする。ｐ＝１は最も予約合計の多い番組を示し、ｐ＝Ｌは最も予約合計の少ない番組を示す。
【００６５】
次に、予約ランキングがｐ番目の番組が式（４）の条件を満たすか否かをチェックする（ステップＳ４２）。
Ｔｐ−Ｔｃ≧α  ・・・・・・・・・・  式（４）
【００６６】
すなわち、このステップでは番組の開始日時が現在日時より一定以上先であるかをチェックする。ここで、Ｔｐは番組ｐの開始日時、Ｔｃは現在日時、αは定数である。そして、Ｔｐは予約ランキングの番組番号を予約番組リストと照合して番組ＩＤを求め、さらに番組情報格納手段を参照することにより番組名を求めることができる。
【００６７】
次に、データ行列Ａの要素ａｘｐが０であるか、すなわち利用者ｘが番組ｐの予約を行っていないかを確認する（ステップＳ４３）。もしａｘｐが０であれば、番組選択リストに利用者ＩＤと番組ＩＤを追加登録する（ステップＳ４４）。
図１７に、番組選択リストの記述例を示す。
【００６８】
ここで、利用者番号に対応する利用者ＩＤは前述の図１２に示した予約利用リストを参照して求めることができる。また、番組番号に対応する番組ＩＤは前述の図１３に示した予約番組リストを参照して求めることができる。
【００６９】
次に、利用者ｘに対する選択番組の数が所定の数に達したかを判定し（ステップＳ４５）、所定の数に達したときは処理を終了する。所定の数に達していないときは、制御変数ｐの値を１だけ大きくし（ステップＳ４６）、制御変数ｐの値が予約ランキングの番組数Ｌ以下であるかをチェックする（ステップＳ４７）。そして、制御変数ｐがＬ以下であるときには、ステップＳ４２に戻って処理を繰り返す。制御変数ｐがＬを超えたときに処理を終了する。
【００７０】
以上、サーバにより実行される利用者の嗜好番組解析の動作について述べた。サーバは上述の処理を定期的に行うことにより、利用者による番組に関する希望条件の入力をしない場合であっても、自動的に嗜好番組を選択して得ることができる。さらに、予約パターンが、対象者と類似する他の利用者の予約情報を用いると、対象者の嗜好に合致する確率が高くなり、それを利用して好適な嗜好番組の選択を行うことができる。
【００７１】
そして、その選択された利用者の嗜好情報を用い、嗜好番組の自動録画を行うことができる。即ち、利用者が動作モードとして自動録画モードを指定している場合には、選択して得られた嗜好番組情報を録画機器に供給し、自動的に録画予約を設定し、その番組を録画する。
【００７２】
即ち、前述の番組選択手段１２４によって作成された番組選択リストの利用者ＩＤと番組ＩＤとが予約情報格納手段１２３の新たなエントリとして追加されることにより、自動録画が可能となる。そして、前述の図９に示した追加されたエントリに係る送信フラグは初期状態で「０」に設定される。
【００７３】
また、録画機器１３の側からは、番組選択リストにより追加された予約情報は、利用者があたかも予約操作を行った予約情報と同じ情報であるとして認識がなされる。従って、サーバ１２において選択された番組が自動的に録画されることになる。
【００７４】
以上、利用者による番組予約の操作をしない場合であっても、自動的に嗜好番組が選択され、録画される動作モードについて述べた。
次にメールにより予約番組を利用者に通知する通知モードの動作について述べる。
図１８に、選択された嗜好番組を通知する通知モードの処理動作をフローチャートにより示し、図１９、及び図２０をも参照しつつ説明する。
【００７５】
まず、サーバ１２は認証手段１２１から各利用者のメールアドレスを読出し、番組選択リストの番組を紹介する電子メールを作成し、送受信手段１２５を介して制御端末１１に送信する（ステップＳ５１）。サーバ１２は番組情報格納手段１２２から番組ＩＤ、チャネル情報、開始日時、終了日時、番組タイトル及び出演者などの情報を読出し、通知メールを作成する。
【００７６】
図１９に、通知メールの記述例を示す。
同図に示す通知メールの記述例では、ｓｕｂｊｅｃｔ（題名）あるいは本文には必ず番組ＩＤが含まれている。また、通知メールは番組選択リストの各番組のそれぞれにつき１通ずつ作成され、それらの作成された通知メールは制御端末１１に伝送される。
【００７７】
その通知メールは制御端末１１により受信され、端末の表示器に表示される。その表示された通知メールを見た利用者は、その番組を録画するか否かを判断する（ステップＳ５２）。録画を希望する場合には、通知メールを引用した返信メールを作成し、サーバ１２に送信する（ステップＳ５３）。
【００７８】
図２０に、返信メールの記述例を示す。
同図に示す返信メールは、少なくとも通知メールに記述されている番組ＩＤを含む形式で記述する。そして、送信された返信メールはサーバ１２の送受信手段１２５を介して受信され、そのメールのｓｕｂｊｅｃｔあるいは本文中から番組ＩＤを抽出する（ステップＳ５４）。
【００７９】
さらに、認証手段１２１を参照して返信メールの送信元アドレスから利用者ＩＤを得る（ステップＳ５５）。次に、その利用者ＩＤ及び番組ＩＤを予約情報格納手段１２３の新たなエントリとして追加する（ステップＳ５６）。また、追加エントリの送信フラグは初期状態で「０」に設定される。そして、録画機器１３は利用者が返信メールを送った番組について録画予約の設定動作を行う。
【００８０】
以上、通知モードによる録画予約の設定動作について述べた。
なお、本実施例では録画予約として説明したが、以上の説明は視聴予約の場合においても同様の動作で対応可能である。
【００８１】
以上詳述したように、本実施例に示した番組予約システムによれば、利用者の嗜好に合致した番組を自動的に録画することが可能である。従って、利用者が見たい番組を見逃す可能性が少なくなるなど、利用者の利便性を高めることができる。また、利用者が過去に行った番組予約に関する情報を利用して番組を選択するので、自動録画予約を設定するために番組条件を指定する等の煩雑な入力操作が不要であり、利用者に負担をかけずに番組を自動録画することができる。
【００８２】
その自動録画、及び自動視聴を行なう番組の予約設定方法は次のようになされる。
即ち、
【００８３】
共通の放送番組を嗜好する利用者同士で、ある利用者により予約された放送番組を他の利用者側でも録画又は視聴するように、ネットワークに接続されるサーバを用いて予約を行なう番組予約の設定方法であって、
前記サーバから、操作により録画予約又は視聴予約を行う複数の制御端末に対して電子番組表を伝送する第１のステップと、
前記制御端末が操作され、利用者に係る識別情報及びパスワードが伝送されて前記サーバとの間の通信路を確立する第２のステップと、
前記電子番組表に記述される番組情報を引用して作成した予約情報を、前記通信路を介して前記サーバに伝送する第３のステップと、
前記制御端末から伝送された予約情報を受信した前記サーバにより、前記予約情報とその情報を伝送した前記利用者に係る識別名とを対応させて記憶する第４のステップと、
少なくとも前記第２〜第３のステップを繰り返し、前記識別名を行前記予約情報を列とする行列の、又は前記識別名を列前記予約情報を行とする行列のうちの、いずれか一方の行列の予約関係にある要素にマークを付して予約情報行列を作成する第５のステップと、
前記予約情報行列のうち、同一の放送番組に付される前記マークが複数個所一致する利用者同士を嗜好グループとして選定する第６のステップと、
前記嗜好グループの利用者により予約される情報のうち、所定数以上の利用者が予約を行った共通番組があるときには、前記嗜好グループの利用者のうち前記共通番組を予約していない他の利用者に係る録画装置又は視聴装置に対し、前記共通番組の予約動作を行うための予約設定情報を伝送する第７のステップと、
を有することを特徴とする番組予約の設定方法。
【００８４】
また、この設定方法によれば、番組タイトルや出演者等の番組情報を用いずに利用者の嗜好に合致した番組を選択できるので、番組情報が充実していない市場環境の場合であっても好適に動作し、事業者に負担をかけることなく利用者の利便性を高めることができる。また、宅内の録画機器に蓄積された情報を宅外に転送するような動作を行うことなく、日常的な予約操作の過程で宅外のサーバに蓄積された情報のみを利用するようにしているので、利用者にプライバシー侵害の印象を与える度合いが少ない。
【００８５】
さらに、利用者の数が１人ではなく、複数の利用者の予約情報を用いて番組を選択しているので、番組のカテゴリにバリエーションを持たせた番組選択が可能であり、利用者の長期間の使用に対しても録画された番組が１パターンに限られてしまうことがなく、本実施例による番組予約システムによる番組予約では視聴者に対して飽き難いといった利点がある。
【００８６】
そして、利用者の嗜好に合致した番組を利用者に通知した後の、簡易な操作で録画する場合の通知モードによれば、利用者が嗜好する番組の録画、視聴を見逃す可能性が減少するなど、利用者に対する利便性を高めることができる。さらに、番組録画予約システムが勝手に番組を録画することがなく、利用者の確認を得た後に録画を行うようにしているため、利用者にとって不要とされる番組を録画することがなく、録画機器の記憶容量を必要以上に消費することがない。
【００８７】
また、利用者が過去に行った番組予約に関する情報を利用して番組を選択するようにしているので、嗜好番組抽出のための番組条件を設定する等、煩雑な入力操作が不用であり、利用者に大きな負担をかけることなく番組を自動的に録画することができる。
【００８８】
更に、番組タイトルや出演者等の番組情報を使わずに利用者の嗜好に合致した番組を選択できるので、番組情報が充実していない環境における場合であっても本システムは好適に動作し、番組表提供事業者に負担をかけることなしに利用者の利便性を高めることができる。
【００８９】
また宅内の録画機器に蓄積された情報を宅外に転送するようなことはせずに、日常的な予約操作の過程で宅外のサーバに蓄積された情報のみが用いられて番組予約システムが動作するようになされているので、利用者に対してプライバシー侵害の印象を与える度合いが少ない。
【００９０】
更に、１人の利用者ではなく、複数の利用者の予約情報を用いて嗜好番組を選択するようにしているので、番組のカテゴリに対して広いバリエーションの番組選択が可能であり、利用者が長期間この番組予約システムを利用して録画番組を視聴する場合であっても、そのシステムの使用に対して飽き難いといった利点を有している。
【００９１】
ここで、制御端末が、例えば携帯電話のように特定の利用者により限られて使用される場合には、その端末装置が操作されて入力される嗜好情報をその端末装置の利用者に係る嗜好情報として扱うことができる。そして、サーバは端末装置の端末名毎に予約情報行列を作成することができる。
【００９２】
一方、現在実施が検討されているサーバ型放送方式によれば、サーバに蓄積されるコンテンツをユーザが任意の時間に読み出して視聴することができるため、読み出しデータを基にコンテンツの嗜好分析を容易に行なうことができる。それに比し、上述の実施例による嗜好番組の抽出は、基本的に１回しか放送されない番組に対してでも利用者の嗜好を分析し、好適な番組の録画予約を行うことが出来る特徴を有している。
【００９３】
さらに、発明は、上述したサーバ装置をコンピュータにより実現させるためのプログラムを含むものである。そのコンピュータを実行させるためのプログラムは、例えば、
【００９４】
通信ネットワークに接続されるサーバ装置を介して、前記通信ネットワークに接続される制御端末からのそれぞれから放送番組を録画予約及び／又は放送番組を視聴予約するそれぞれの装置に対して放送番組を録画予約するための放送予約システムに用いられる前記サーバ装置の機能をコンピュータを実行させて行う番組予約設定用プログラムであって、
複数の前記制御端末に対して電子番組表を配信する電子番組表伝送ステップと、
前記制御端末から伝送される前記電子番組表に記述される番組情報のそれぞれに対応する番組録画指定情報を受信する指定情報受信ステップと、
前記番組指定情報とその情報を伝送した制御端末の端末名とを対応させて記憶する指定情報記憶ステップと、
各番組録画指定情報にそれぞれ対応した複数の前記制御端末の関係から、予約関係にある要素にマークを付して予約情報行列を作成する行列作成ステップと、前記予約情報行列のうち、同一の放送番組に付される前記マークが複数個所一致する制御端末同士を嗜好グループとして選定する嗜好グループ選定ステップと、
前記嗜好グループに属する制御端末により指定される情報のうち、所定数以上の制御端末が指定した共通番組があるときに、前記共通番組を指定していない残りの制御端末に係る前記装置に対し、前記共通番組を予約するための予約設定情報を伝送する予約情報伝送ステップと、
を少なくとも有して前記サーバ装置を制御する番組予約設定用プログラムである。
【００９５】
【発明の効果】
本発明の、自動的に嗜好番組を選択して予約する番組予約システムによれば、予約情報とその情報を送信した制御端末の端末名とを蓄積するようにし、それらの動作を繰り返した後に、蓄積された予約情報を端末名で整理して予約情報行列を作成し、その作成された予約情報行列を基に嗜好グループを選定し、その選定された嗜好グループの所定数以上の制御端末が共通の番組に係る予約情報を送信したときは、同一グループの共通番組を予約していない他の制御端末との間で被制御関係にある録画装置又は視聴装置に対し、共通の番組に係る予約設定情報を送信するようにしているので、利用者が明示的に所望の番組条件を入力する必要がなく、利用者の嗜好に合致した番組の録画予約を利用者が行わない場合であっても自動的にその番組を録画する番組予約システムを実現することのできる効果を提供することができる。
【００９６】
本発明の、自動的に嗜好番組を利用者に通知して予約する番組予約システムによれば、予約情報とその情報を送信した制御端末の端末名とを蓄積するようにし、それらの動作を繰り返した後に、蓄積された予約情報を端末名で整理して予約情報テーブルを作成し、その作成された予約情報テーブルを基に嗜好グループを選定し、その選定された嗜好グループの所定数以上の制御端末が共通の番組に係る予約情報を送信したときは、同一グループの共通番組を予約していない他の制御端末に対して共通の番組に係る予約情報を送信し、その送信予約情報を引用した返信メールが受信されるときに、サーバは返信メールを送信した端末装置と被制御関係にある録画装置又は視聴装置に対し、共通の番組に係る予約設定情報を送信するようにしているので、利用者が明示的に所望の番組条件を入力する必要がなく、利用者の嗜好に合致した番組の録画予約を利用者が行わない場合であっても、その番組情報が利用者に通知され、確認されたときにその番組を録画することができ、記録媒体に好適な録画を行う番組予約システムを実現することのできる効果を提供することができる。
【００９７】
また、本発明の、自動的に嗜好番組を選択して予約する番組予約システムを構成するサーバ装置によれば、予約情報とその情報を送信した制御端末の端末名とを蓄積するようにし、それらの動作を繰り返した後に、蓄積された予約情報を端末名で整理して予約情報テーブルを作成し、その作成された予約情報テーブルを基に嗜好グループを選定し、その選定された嗜好グループの所定数以上の制御端末が共通の番組に係る予約情報を送信したときは、同一グループの共通番組を予約していない他の制御端末との間で被制御関係にある録画装置又は視聴装置に対し、共通の番組に係る予約設定情報を送信するようにしているため、利用者が明示的に所望の番組条件を入力する必要がなく、番組属性情報が限られている場合であり、及び利用者の嗜好に合致した番組情報を基に録画予約を利用者が設定操作を行わない場合であっても自動的に設定する番組予約システムを実現することができ、また利用者が従来録画していた番組と異なるカテゴリの番組に対しても録画予約を設定するようにされているので、利用者が潜在的に嗜好すると考えられるカテゴリの番組に対しても録画予約の設定を行うことができる番組予約システムにおけるサーバ装置の構成を提供できる効果を有している。
【図面の簡単な説明】
【図１】本発明の実施例に係る、番組予約システムの概略構成を示す図である。
【図２】本発明の実施例に係る、サーバの構成例をブロックで示す図である。
【図３】本発明の実施例に係る、録画機器の構成例をブロックで示す図である。
【図４】本発明の実施例に係る、利用登録時における制御端末の画面の一例を示す図である。
【図５】本発明の実施例に係る、サーバの認証手段におけるデータ記述例を示す図である。
【図６】本発明の実施例に係る、録画予約時の動作例を示したフローチャートである。
【図７】本発明の実施例に係る、サーバの番組情報格納手段における記述例を示す図である。
【図８】本発明の実施例に係る、制御端末における番組表の表示例を示す図である。
【図９】本発明の実施例に係る、サーバの予約情報格納手段におけるデータ形式を示す図である。
【図１０】本発明の実施例に係る、予約情報取得動作例を示したフローチャートである。
【図１１】本発明の実施例に係る、番組選択動作例を示すフローチャートである。
【図１２】本発明の実施例に係る、予約利用者リストのデータ形式の例を示す図である。
【図１３】本発明の実施例に係る、予約番組リストのデータ形式の例を示す図である。
【図１４】本発明の実施例に係る動作を説明するための、数式を記述したものである。
【図１５】本発明の実施例に係る、予約ランキングのデータ形式の例を示す図である。
【図１６】本発明の実施例に係る、予約ランキングを求める動作例を示すフローチャートである。
【図１７】本発明の実施例に係る、番組選択リストのデータ形式の例を示す図である。
【図１８】本発明の実施例に係る、通知モードにおける動作例を示したフローチャートである。
【図１９】本発明の実施例に係る、通知メールの一例を示す図である。
【図２０】本発明の実施例に係る、通知メールを引用した返信メールの一例を示す図である。
【符号の説明】
１  番組予約システム
１１、１１ａ、１１ｎ  制御端末
１２  サーバ
１３、１３ａ、１３ｎ  録画機器
１４  ネットワーク網
１２１  認証手段
１２２  番組情報格納手段
１２３  予約情報格納手段
１２４  番組選択手段
１２５  送受信手段
１２６  制御手段
１３１  番組受信手段
１３２  計時手段
１３３  予約情報保持手段
１３４  番組記録手段
１３５  ＩＤ格納手段
１３６  送受信手段
１３７  制御手段
１４１  無線局
【図１】
2004297685.tif 000003
【図２】
2004297685.tif 000004
【図３】
2004297685.tif 000005
【図４】
2004297685.tif 000006
【図５】
2004297685.tif 000007
【図６】
2004297685.tif 000008
【図７】
2004297685.tif 000009
【図８】
2004297685.tif 000010
【図９】
2004297685.tif 000011
【図１０】
2004297685.tif 000012
【図１１】
2004297685.tif 000013
【図１２】
2004297685.tif 000014
【図１３】
2004297685.tif 000015
【図１４】
2004297685.tif 000016
【図１５】
2004297685.tif 000017
【図１６】
2004297685.tif 000018
【図１７】
2004297685.tif 000019
【図１８】
2004297685.tif 000020
【図１９】
2004297685.tif 000021
【図２０】
2004297685.tif 000022